【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
人によって生成された流体を収集するための携帯流体収集装置と共に用いられる遠心ポンプであって、
内径を有する実質的に円筒状のポンプチャンバと、
前記ポンプチャンバと流体連通する流体入口と、
前記ポンプチャンバと流体連通する流体出口と、
外径を有するインペラであって、前記インペラは、前記ポンプチャンバ内の前記流体入口と前記流体出口との中間において駆動シャフトに回転可能に取り付けられており、前記駆動シャフトは、使用時に前記インペラを回転させ、前記流体入口を通って前記ポンプチャンバ内に流入して前記流体出口から流出する流体を加速させるために、駆動手段によって回転可能になっている、インペラと、
を備えており、
前記ポンプチャンバの前記内径は、前記インペラの前記外径の１．４倍と実質的に等しいかまたはそれよりも大きくなっている、
遠心ポンプ。
【請求項２】
前記ポンプチャンバの前記内径は、前記インペラの前記外径の１．５倍と等しいかまたはそれよりも小さくなっている、請求項１に記載の遠心ポンプ。
【請求項３】
前記ポンプチャンバの前記内径は、前記インペラの前記外径の１．４２倍と実質的に等しいかまたはそれよりも大きくなっている、請求項１または２に記載の遠心ポンプ。
【請求項４】
前記ポンプチャンバの前記内径は、前記インペラの前記外径の１．４２倍以上から１．４５倍以下の間にある、請求項３に記載の遠心ポンプ。
【請求項５】
前記ポンプチャンバの前記内径は、前記インペラの前記外径の１．４２倍以上から１．４３倍以下の間にある、請求項３に記載の遠心ポンプ。
【請求項６】
前記インペラは、前記駆動シャフトに回転可能に取り付けられた中心スピンドルと、前記中心スピンドルから半径方向に延在する複数の周方向において互いに離間したブレードと、を備えており、前記インペラの前記外径は、前記駆動シャフトと実質的に直交する方向における前記インペラの最大寸法である、先行する請求項のいずれかに記載の遠心ポンプ。
【請求項７】
前記流体出口の長軸は、前記流体入口の長軸に対して実質的に直交して配置されており、前記インペラと半径方向において真っ直ぐに並んでいる、先行する請求項のいずれかに記載の遠心ポンプ。
【請求項８】
携帯流体収集装置であって、
人によって生成された流体を受け入れるための流体リザーバであって、リザーバ入口およびリザーバ出口を有している、流体リザーバと、
先行する請求項のいずれかに記載の遠心ポンプであって、前記ポンプの前記流体入口が前記リザーバ出口と流体連通している、遠心ポンプと、
を備えている、携帯流体収集装置。
【請求項９】
前記ポンプの前記流体出口と流体連通する出口導管をさらに備えている、請求項８に記載の携帯流体収集装置。
【請求項１０】
前記ポンプに駆動手段を介して給電するためのバッテリをさらに備えている、請求項８または９に記載の携帯流体収集装置、
【請求項１１】
前記流体リザーバは、使い捨て式である、請求項８−１０のいずれかに記載の携帯流体収集装置。
【請求項１２】
前記ポンプは、使い捨て式である、請求項８−１１のいずれかに記載の携帯流体収集装置。
【請求項１３】
前記流体リザーバ内の流体の特性を検出するための検出手段をさらに備えている、請求項８−１２のいずれかに記載の携帯流体収集装置。
【請求項１４】
前記検出手段は、第１の位置と前記第１の位置から離間した第２の位置との間の流体の特性を検出するための手段を備えている、請求項１３に記載の携帯流体収集装置。
【請求項１５】
前記検出手段は、前記第１の位置と第３の位置との間の流体の特性を検出するための手段をさらに備えており、前記第１の位置と前記第３の位置との間の距離は、前記第１の位置と前記第２の位置との間の距離よりも短くなっている、請求項１４に記載の携帯流体収集装置。
【請求項１６】
前記検出手段は、流体の電気特性または光学特性を測定するための手段を備えている、請求項１４または１５に記載の携帯流体収集装置、
【請求項１７】
前記検出手段は、流体の電気抵抗、静電容量、電気共鳴、および光学透過率の１つまたは複数を測定するための手段を備えている、請求項１５に記載の携帯流体収集装置。
【請求項１８】
前記第２の位置は、前記流体リザーバがその最大容量の５５％から７５％の間、好ましくは、その最大容量の６０％から７０％の間、さらに好ましくは、その最大容量の６４％から６８％の間の容積の流体を含んだとき、流体に接触するように配置されている、請求項１４−１７のいずれかに記載の携帯流体収集装置。
【請求項１９】
前記第２の位置は、前記流体リザーバがその最大容量の約６６％の容積の流体を含んだとき、流体に接触するように配置されている、請求項１８に記載の携帯流体収集装置。
【請求項２０】
前記携帯流体収集装置は、前記検出手段からデータを受信し、前記流体リザーバ内の流体のレベルを決定するように構成されたプロセッサ手段と、聴覚信号、視覚信号、または触覚信号を生成するための信号手段と、をさらに備えており、前記プロセッサ手段は、前記流体リザーバ内の流体の前記決定されたレベルが所定の閾値を超えたとき、前記信号を生成するように前記信号手段を作動させるように、構成されている、請求項１３−１９のいずれかに記載の携帯流体収集装置。
【請求項２１】
前記プロセッサ手段は、前記流体リザーバ内の流体の前記レベルを決定するために、前記第１の位置と前記第３の位置との間の流体の特性に対応する測定データを用いて、前記第１の位置と前記第２の位置との間の流体の特性に対応する測定データを較正するように、構成されている、請求項１５または請求項１５に従属する請求項１６−２０のいずれかに記載の携帯流体収集装置。
【請求項２２】
前記プロセッサ手段は、前記検出手段から毎秒複数回にわたってデータパケットを受信するように構成されており、前記流体リザーバ内の流体の前記レベルが所定回数の連続データパケットにわたって前記所定の閾値を超えたと判断したときのみ、信号を生成するように前記信号手段を作動させるように、さらに構成されている、請求項２０または２１に記載の携帯流体収集装置。
【請求項２３】
前記プロセッサ手段は、前記検出手段から毎秒１５回以上にわたってデータパケットを受信するように構成されており、および／または連続データパケットの前記所定回数は、１５から４５の間、好ましくは、３０である、請求項２２に記載の携帯流体収集装置。
【請求項２４】
前記プロセッサは、毎秒１００回、毎秒１２５回、毎秒２５６回、または毎秒それを超える回数にわたって、前記検出手段からデータパケットを受信するように構成されている、請求項２２に記載の携帯流体収集装置。
【請求項２５】
前記検出手段は、前記検出手段を電源および／または前記プロセッサ手段に接続するための１つまたは複数の電線を備えており、前記１つまたは複数の電線は、孔を有する出口取付具を通って前記リザーバの内側から前記リザーバの出口に延在しており、前記孔内の前記１つまたは複数の電線を囲むシールが、前記１つまたは複数の電線を外装する熱収縮性スリーブと熱硬化性エポキシ樹脂とによって形成されている、請求項１３−２４のいずれかに記載の携帯流体収集装置。
【請求項２６】
前記検出手段は、前記検出手段を電源および／または前記プロセッサ手段に接続するための１つまたは複数の電線を備えており、前記１つまたは複数の電線は、孔を有する出口取付具を通って前記リザーバの内側から前記リザーバの出口に延在しており、前記孔内の前記１つまたは複数の電線を囲むシールが、前記１つまたは複数の電線を外装するエラストマースリーブによって形成されている、請求項１３−２４のいずれかに記載の携帯流体収集装置。
【手続補正２】
【補正対象書類名】明細書
【補正対象項目名】００８４
【補正方法】変更
【補正の内容】
【００８４】
読者の注意は、本出願に関連して本明細書と同時にまたはその前に出願され、本明細書と共に閲覧に供される全ての論文および文献に向けられることになるが、このような論文および文献の内容は、参照することによって、ここに含まれるものとする。
なお、出願当初の特許請求の範囲は以下の通りである。
（請求項１）
人によって生成された流体を収集するための携帯流体収集装置と共に用いられる遠心ポンプであって、
内径を有する実質的に円筒状のポンプチャンバと、
前記ポンプチャンバと流体連通する流体入口と、
前記ポンプチャンバと流体連通する流体出口と、
外径を有するインペラであって、前記インペラは、前記ポンプチャンバ内の前記流体入口と前記流体出口との中間において駆動シャフトに回転可能に取り付けられており、前記駆動シャフトは、使用時に前記インペラを回転させ、前記流体入口を通って前記ポンプチャンバ内に流入して前記流体出口から流出する流体を加速させるために、駆動手段によって回転可能になっている、インペラと、
を備えており、
前記ポンプチャンバの前記内径は、前記インペラの前記外径の１．４倍と実質的に等しいかまたはそれよりも大きくなっている、
遠心ポンプ。
（請求項２）
前記ポンプチャンバの前記内径は、前記インペラの前記外径の１．５倍と等しいかまたはそれよりも小さくなっている、請求項１に記載の遠心ポンプ。
（請求項３）
前記ポンプチャンバの前記内径は、前記インペラの前記外径の１．４２倍と実質的に等しいかまたはそれよりも大きくなっている、請求項１または２に記載の遠心ポンプ。
（請求項４）
前記ポンプチャンバの前記内径は、前記インペラの前記外径の１．４２倍以上から１．４５倍以下の間にある、請求項３に記載の遠心ポンプ。
（請求項５）
前記ポンプチャンバの前記内径は、前記インペラの前記外径の１．４２倍以上から１．４３倍以下の間にある、請求項３に記載の遠心ポンプ。
（請求項６）
前記インペラは、前記駆動シャフトに回転可能に取り付けられた中心スピンドルと、前記中心スピンドルから半径方向に延在する複数の周方向において互いに離間したブレードと、を備えており、前記インペラの前記外径は、前記駆動シャフトと実質的に直交する方向における前記インペラの最大寸法である、先行する請求項のいずれかに記載の遠心ポンプ。
（請求項７）
前記流体出口の長軸は、前記流体入口の長軸に対して実質的に直交して配置されており、前記インペラと半径方向において真っ直ぐに並んでいる、先行する請求項のいずれかに記載の遠心ポンプ。
（請求項８）
携帯流体収集装置であって、
人によって生成された流体を受け入れるための流体リザーバであって、リザーバ入口およびリザーバ出口を有している、流体リザーバと、
先行する請求項のいずれかに記載の遠心ポンプであって、前記ポンプの前記流体入口が前記リザーバ出口と流体連通している、遠心ポンプと、
を備えている、携帯流体収集装置。
（請求項９）
前記ポンプの前記流体出口と流体連通する出口導管をさらに備えている、請求項８に記載の携帯流体収集装置。
（請求項１０）
前記ポンプに駆動手段を介して給電するためのバッテリをさらに備えている、請求項８または９に記載の携帯流体収集装置、
（請求項１１）
前記流体リザーバは、使い捨て式である、請求項８−１０のいずれかに記載の携帯流体収集装置。
（請求項１２）
前記ポンプは、使い捨て式である、請求項８−１１のいずれかに記載の携帯流体収集装置。
（請求項１３）
前記流体リザーバ内の流体の特性を検出するための検出手段をさらに備えている、請求項８−１２のいずれかに記載の携帯流体収集装置。
（請求項１４）
前記検出手段は、第１の位置と前記第１の位置から離間した第２の位置との間の流体の特性を検出するための手段を備えている、請求項１３に記載の携帯流体収集装置。
（請求項１５）
前記検出手段は、前記第１の位置と第３の位置との間の流体の特性を検出するための手段をさらに備えており、前記第１の位置と前記第３の位置との間の距離は、前記第１の位置と前記第２の位置との間の距離よりも短くなっている、請求項１４に記載の携帯流体収集装置。
（請求項１６）
前記検出手段は、流体の電気特性または光学特性を測定するための手段を備えている、請求項１４または１５に記載の携帯流体収集装置、
（請求項１７）
前記検出手段は、流体の電気抵抗、静電容量、電気共鳴、および光学透過率の１つまたは複数を測定するための手段を備えている、請求項１５に記載の携帯流体収集装置。
（請求項１８）
前記第２の位置は、前記流体リザーバがその最大容量の５５％から７５％の間、好ましくは、その最大容量の６０％から７０％の間、さらに好ましくは、その最大容量の６４％から６８％の間の容積の流体を含んだとき、流体に接触するように配置されている、請求項１４−１７のいずれかに記載の携帯流体収集装置。
（請求項１９）
前記第２の位置は、前記流体リザーバがその最大容量の約６６％の容積の流体を含んだとき、流体に接触するように配置されている、請求項１８に記載の携帯流体収集装置。
（請求項２０）
前記携帯流体収集装置は、前記検出手段からデータを受信し、前記流体リザーバ内の流体のレベルを決定するように構成されたプロセッサ手段と、聴覚信号、視覚信号、または触覚信号を生成するための信号手段と、をさらに備えており、前記プロセッサ手段は、前記流体リザーバ内の流体の前記決定されたレベルが所定の閾値を超えたとき、前記信号を生成するように前記信号手段を作動させるように、構成されている、請求項１３−１９のいずれかに記載の携帯流体収集装置。
（請求項２１）
前記プロセッサ手段は、前記流体リザーバ内の流体の前記レベルを決定するために、前記第１の位置と前記第３の位置との間の流体の特性に対応する測定データを用いて、前記第１の位置と前記第２の位置との間の流体の特性に対応する測定データを較正するように、構成されている、請求項１５または請求項１５に従属する請求項１６−２０のいずれかに記載の携帯流体収集装置。
（請求項２２）
前記プロセッサ手段は、前記検出手段から毎秒複数回にわたってデータパケットを受信するように構成されており、前記流体リザーバ内の流体の前記レベルが所定回数の連続データパケットにわたって前記所定の閾値を超えたと判断したときのみ、信号を生成するように前記信号手段を作動させるように、さらに構成されている、請求項２０または２１に記載の携帯流体収集装置。
（請求項２３）
前記プロセッサ手段は、前記検出手段から毎秒１５回以上にわたってデータパケットを受信するように構成されており、および／または連続データパケットの前記所定回数は、１５から４５の間、好ましくは、３０である、請求項２２に記載の携帯流体収集装置。
（請求項２４）
前記プロセッサは、毎秒１００回、毎秒１２５回、毎秒２５６回、または毎秒それを超える回数にわたって、前記検出手段からデータパケットを受信するように構成されている、請求項２２に記載の携帯流体収集装置。
（請求項２５）
前記検出手段は、前記検出手段を電源および／または前記プロセッサ手段に接続するための１つまたは複数の電線を備えており、前記１つまたは複数の電線は、孔を有する出口取付具を通って前記リザーバの内側から前記リザーバの出口に延在しており、前記孔内の前記１つまたは複数の電線を囲むシールが、前記１つまたは複数の電線を外装する熱収縮性スリーブと熱硬化性エポキシ樹脂とによって形成されている、請求項１３−２４のいずれかに記載の携帯流体収集装置。
（請求項２６）
前記検出手段は、前記検出手段を電源および／または前記プロセッサ手段に接続するための１つまたは複数の電線を備えており、前記１つまたは複数の電線は、孔を有する出口取付具を通って前記リザーバの内側から前記リザーバの出口に延在しており、前記孔内の前記１つまたは複数の電線を囲むシールが、前記１つまたは複数の電線を外装するエラストマースリーブによって形成されている、請求項１３−２４のいずれかに記載の携帯流体収集装置。
（請求項２７）
携帯流体収集装置であって、
人によって生成された流体を受け入れるための流体リザーバと、
前記流体リザーバ内の流体の特性を検出するための検出手段と、
を備えており、
前記検出手段は、第１の位置と前記第１の位置から離間した第２の位置との間の流体の特性を検出するための手段と、前記第１の位置と第３の位置との間の流体の特性を測定するための手段と、を備えており、前記第１の位置と前記第３の位置との間の距離は、前記第１の位置と前記第２の位置との間の距離よりも短くなっている、
携帯流体収集装置。
（請求項２８）
前記携帯流体収集装置は、前記検出手段からデータを受信し、前記流体リザーバ内の流体のレベルを決定するように構成されたプロセッサ手段をさらに備えており、前記プロセッサ手段は、前記流体リザーバ内の流体の前記レベルを決定するために、前記第１の位置と前記第３の位置との間の流体の特性に対応する測定データを用いて、前記第１の位置と前記第２の位置との間の流体の特性に対応する測定データを較正するように、さらに構成されている、請求項２７に記載の携帯流体収集装置。
（請求項２９）
前記携帯流体収集装置は、聴覚信号、視覚信号、または触覚信号を生成するための信号手段をさらに備えており、前記プロセッサ手段は、前記流体リザーバ内の流体の前記決定されたレベルが所定の閾値を超えたとき、前記信号を生成するように前記信号手段を作動させるように、構成されている、請求項２８に記載の携帯流体収集装置。
（請求項３０）
前記検出手段は、流体の電気特性または光学特性を測定するための手段を備えている、請求項２７−２９のいずれかに記載の携帯流体収集装置。
（請求項３１）
前記検出手段は、流体の電気抵抗、静電容量、電気共鳴、および光学透過性の１つまたは複数を測定するための手段を備えている、請求項２７−３０のいずれか１つに記載の携帯流体収集装置。
（請求項３２）
前記第２の位置は、前記流体リザーバがその最大容量の５５％から７５％の間、好ましくは、その最大容量の６０％から７０％の間、さらに好ましくは、その最大容量の６４％から６８％の間の容積の流体を含んだとき、流体に接触するように配置されている、請求項２７−３１のいずれかに記載の携帯流体収集装置。
（請求項３３）
前記第２の位置は、前記流体リザーバがその最大容量の約６６％の容積の流体を含んだとき、流体に接触するように配置されている、請求項３２に記載の携帯流体収集装置。
（請求項３４）
前記プロセッサ手段は、前記検出手段から毎秒複数回にわたってデータパケットを受信するように構成されており、前記流体リザーバ内の流体の前記レベルが所定回数の連続データパケットにわたって前記所定の閾値を超えたと判断したときのみ、信号を生成するように前記手段を作動させるように、さらに構成されている、請求項２８または請求項２８に従属する請求項２９−３３のいずれかに記載の携帯流体収集装置。
（請求項３５）
前記プロセッサ手段は、前記検出手段から毎秒１５回以上にわたってデータパケットを受信するように構成されており、および／または連続データパケットの前記所定回数は、１５から４５の間、好ましくは、３０である、請求項３４に記載の携帯流体収集装置。
（請求項３６）
前記プロセッサ手段は、毎秒１００回、毎秒１２５回、毎秒２５６回、または毎秒それを上回る回数にわたって、前記検出手段からデータパケットを受信するように構成されている、請求項３４に記載の携帯流体収集装置。
（請求項３７）
前記検出手段は、前記検出手段を電源および／または前記プロセッサ手段に接続するための１つまたは複数の電線を含んでおり、前記１つまたは複数の電線は、孔を有する出口取付具を通って前記リザーバの内側から前記リザーバの外側に延在しており、前記孔内の前記１つまたは複数の電線を囲むシールが、前記１つまたは複数の電線を外装する熱収縮性スリーブと熱硬化性エポキシ樹脂とによって形成されている、請求項２６−３６のいずれかに記載の携帯流体収集装置。
（請求項３８）
前記検出手段は、前記検出手段を電源および／または前記プロセッサ手段に接続するための１つまたは複数の電線を備えており、前記１つまたは複数の電線は、孔を有する出口取付具を通って前記リザーバの内側から前記リザーバの外側に延在しており、前記孔内の前記１つまたは複数の電線を囲むシールが、前記１つまたは複数の電線を外装するエラストマースリーブによって形成されている、請求項２６−３６のいずれかに記載の携帯流体収集装置。
（請求項３９）
携帯流体収集装置であって、
人によって生成された流体を受け入れるための流体リザーバと、
前記流体リザーバ内の流体の特性を検出するための検出手段と、
前記検出手段からデータを受信し、前記流体リザーバ内の流体のレベルを決定するように構成されたプロセッサ手段と、
聴覚信号、視覚信号、または触覚信号を生成するための信号手段であって、前記プロセッサ手段は、前記流体リザーバ内の流体の前記決定されたレベルが所定の閾値を超えたとき、前記信号を生成するように前記信号手段を作動させるように構成されている、信号手段と、
を備えており、
前記検出手段は、第１の位置と前記第１の位置から離間した第２の位置との間の流体の特性を測定するための手段を備えており、
前記プロセッサ手段は、前記検出手段から毎秒複数回にわたってデータパケットを受信するように構成されており、前記流体リザーバ内の流体の前記レベルが所定回数の連続データパケットにわたって前記所定の閾値を超えたと判断したときのみ、信号を生成するように前記信号手段を作動させるように、さらに構成されている、
携帯流体収集装置。
（請求項４０）
前記プロセッサ手段は、前記検出手段から毎秒１５回以上にわたってデータパケットを受信するように構成されており、および／または連続データパケットの前記所定回数は、１５から４５の間、好ましくは、３０である、請求項３９に記載の携帯流体収集装置。
（請求項４１）
前記プロセッサ手段は、毎秒１００回、毎秒１２５回、毎秒２５６回、または毎秒それを上回る回数にわたって、前記検出手段からデータパケットを受信するように構成されている、請求項３９に記載の携帯流体収集装置。
（請求項４２）
前記検出手段は、前記検出手段を電源および／または前記プロセッサ手段に接続させるための１つまたは複数の電線を備えており、前記１つまたは複数の電線は、孔を有する出口取付具を通って前記リザーバ内側から前記リザーバの外側に延在しており、前記孔内の前記１つまたは複数の電線を囲むシールが、前記１つまたは複数の電線を外装する熱収縮性スリーブと熱硬化性エポキシ樹脂とによって形成されている、請求項３９−４１のいずれかに記載の携帯流体収集装置。
（請求項４３）
前記検出手段は、前記検出手段を電源および／または前記プロセッサ手段に接続するための１つまたは複数の電線を備えており、前記１つまたは複数の電線は、孔を有する出口取付具を通って前記リザーバの内側から前記リザーバの外側に延在しており、前記孔内の前記１つまたは複数の電線を囲むシールが、前記１つまたは複数の電線を外装するエラストマースリーブによって形成されている、請求項３９−４１のいずれかに記載の携帯流体収集装置。
（請求項４４）
添付の図面を参照して本明細書に実質的に記載されているような人によって生成された流体を収集するための携帯流体収集装置と共に用いられる遠心ポンプ。
（請求項４５）
添付の図面を参照して本明細書に実質的に記載されているような携帯流体収集装置。